(57)【要約】【課題】ウィンドウに取り付けた際に、撮影方向を自在に調整するドライブレコーダーを提供する。【解決手段】車外を撮影可能な撮影部及び当該撮影部で撮影された画像データを記憶する記憶部を内蔵する本体部と、自動車に取り付けて前記本体部を支持する支持部とを備え、支持部は、中空の円筒形に形成される開口部を有し、本体部は、外周が支持部の開口部の内周と略同一であり、開口部に挿入可能な円筒形の挿入部を有し、本体部は、挿入部を開口部に挿入した状態で、挿入部の中心軸を回動軸として、回動することで撮影部が撮影する方向を調整可能とする。【選択図】図６
2018132891.tif 000002
【特許請求の範囲】
【請求項１】
車外を撮影可能な撮影部及び当該撮影部で撮影された画像データを記憶する記憶部を内蔵する本体部と、
自動車に取り付けて前記本体部を支持する支持部とを備え、
前記支持部は、中空の円筒形に形成される開口部を有し、
前記本体部は、外周が前記支持部の開口部の内周と略同一であり、前記開口部に挿入可能な円筒形の挿入部を有し、
前記本体部は、前記挿入部を前記開口部に挿入した状態で、前記挿入部の中心軸を回動軸として、回動することで前記撮影部が撮影する方向を調整可能とする、ドライブレコーダー。
【請求項２】
前記開口部は、内周面に周期的に凹凸部を複数有し、
前記挿入部は前記開口部が有する凹部と対となる凸部が先端に形成されるＵ字形状の切り込み部が施され、
前記切り込み部に形成される凸部が前記支持部の開口部の中心軸の方向に可動され、前記本体部に内蔵される前記撮像部が撮影する方向を調整可能とする、請求項１に記載のドライブレコーダー。
【請求項３】
前記支持部は、自動車のウィンドウに接着する接着機構と、前記本体部が挿入される支持機構とを備え、当該支持機構は、接着機構からスライドにより取り外し可能であることを特徴とする、請求項１又は２に記載のドライブレコーダー。
【発明の詳細な説明】
【技術分野】
【０００１】
本発明は、ドライブレコーダーであって、撮影方向を自在に変更可能であるものである。
【背景技術】
【０００２】
近年、安全で快適なドライブを確保するため、ドライブレコーダーの利用が高まっている。ドライブレコーダーは、例えば、車内においてウィンドウに取り付け、走行中等に車外を撮影するものである。ドライブレコーダーの取り付け対象である自動車は、様々なタイプがある。具体的には、車高、ウィンドウの形状等は多種多様である。したがって、ドライブレコーダーは、どのタイプの自動車に取り付けたとしても、必要な画像を撮影可能とする必要がある。
【０００３】
一般的には、自動車のウィンドウは、左右方向（水平方向）の傾きが大きく異なることは少ない。一方、ウィンドウの上下方向（垂直方向）の傾きは、自動車のタイプによって大きく異なる。したがって、ドライブレコーダーは、取り付けた自動車によってその上下方向の傾きを調整する必要があることが多い。
【０００４】
従来、ドライブレコーダーの傾きを調節する技術が検討されている（特許文献１参照）。特許文献１では、第一の回動手段でフロントガラスに固定された場合に、カメラを備える第１の部材の向きを調整可能とする技術が記載されている。しかしながら、どのような構成で係合爪を撓ませることができるのか不明である。
【先行技術文献】
【特許文献】
【０００５】
【特許文献１】特開２０１５−１０９０９３号公報
【発明の概要】
【発明が解決しようとする課題】
【０００６】
上述したように、特許文献１では、係合爪を撓ませる構成が不明であるため、カメラの向きを調整する構成を十分に理解することができない。
【０００７】
上記課題に鑑み、本発明は、ウィンドウに取り付けた際に、撮影方向を自在に調整するドライブレコーダーに関する。
【課題を解決するための手段】
【０００８】
上記課題を解決するために、本発明の一態様に係るドライブレコーダーは、車外を撮影可能な撮影部及び当該撮影部で撮影された画像データを記憶する記憶部を内蔵する本体部と、自動車に取り付けて本体部を支持する支持部とを備え、支持部は、中空の円筒形に形成される開口部を有し、本体部は、外周が前記支持部の開口部の内周と略同一であり、開口部に挿入可能な円筒形の挿入部を有し、本体部は、挿入部を開口部に挿入した状態で、挿入部の中心軸を回動軸として、回動することで撮影部が撮影する方向を調整可能とする。
【発明の効果】
【０００９】
本発明の一態様に係るドライブレコーダーは、ウィンドウに取り付けた際に、撮影方向を自在に調整することができる。
【図面の簡単な説明】
【００１０】
【図１】一実施形態に係るドライブレコーダーの正面図である。
【図２】ドライブレコーダーの各部を取り外した正面図である。
【図３】ドライブレコーダーの接着機構を表わす斜視図である。
【図４】ドライブレコーダーの支持機構を表わす斜視図である。
【図５】ドライブレコーダーの支持部の開口部を表わす斜視図である。
【図６】ドライブレコーダーの本体部の挿入部を表わす斜視図である。
【発明を実施するための形態】
【００１１】
以下に、図面を用いて本発明の実施形態に係るドライブレコーダーについて説明する。図１及び図２に示すように、実施形態に係るドライブレコーダー１は、車外を撮影可能な撮影部及び撮影部で撮影された画像データを記憶する記憶部を内蔵する本体部２と、自動車に取り付けて本体部を支持する支持部３とを備える。また、ドライブレコーダー１は、支持部３に支持される本体部２が支持部３から外れないように止める蓋部４を備えてもよい。図１は、本体部２、支持部３及び蓋部４が全て組み立てられる状態を表わす。また、図２は、本体部２、支持部３及び蓋部４が取り外された状態を表わす。ドライブレコーダー１は、一般的なドライブレコーダーであって、自動車のフロントウィンドウやバックウィンドウに取り付けられ、ドライブの様子等を撮影するものである。
【００１２】
撮影部は、ドライブ映像等を撮影するカメラ等の装置である。カメラのレンズ部２０は、図１に示すように、ウィンドウに取り付けした際に車外を撮影可能に本体部２に内蔵される。また、記憶部は、撮影部で撮影された映像データを記憶するメモリ等の装置である。このように、ドライブレコーダー１は、本体部２に撮影部に加えて、記憶部が内蔵されることで、ユーザの利便性を向上させることができる。なお、撮影部及び記憶部の構成については、限定されない。また、本体部２が内蔵する撮影部及び記憶部の図示を用いた詳細な説明は省略する。
【００１３】
また、図示は省略するが、本体部２は、ドライブレコーダー１が取り付けられる自動車で生じた衝撃を特定するデータを検出する衝撃センサを有してもよい。この衝撃センサで検出されたデータは、記憶部で記憶される。さらに、本体部２は、ドライブレコーダー１で必要な電力を供給するバッテリーを有してもよい。
【００１４】
支持部３は、自動車のウィンドウに接着する接着機構３０と、本体部２が挿入される支持機構３１とを備える。接着機構３０は、例えば、ウィンドウとの接着面に粘着テープ等を有しており、この粘着テープを利用して自動車に取り付けることができる。
【００１５】
支持機構３１は、図２に示すように、接着機構３０からスライドにより取り外し可能である。具体的には、図３に示すように、接着機構３０の支持機構３１と接する面には、凹部３０１が形成される。また、図４に示すように、支持機構３１の接着機構３０と接する面には、凸部３１１が形成される。この凸部３１１は、可動部３１０を押下したうえで、凸部３１１の方向にスライド移動することで、接着機構３０から取り外すことができる。これにより、ユーザは、容易に本体部２を車内から車外に持ち運ぶことができる。なお、図４では、支持機構３１から本体部２が取り外された状態の図を示すが、支持機構３１に本体部２が挿入された状態で支持機構３１を取り外すことができる。
【００１６】
例えば、ドライブレコーダー１の記憶部に記憶される撮影されたデータを確認したい場合、ユーザは、記憶部が内蔵される本体部２を車外に持ち出すことができる。これにより、ユーザは、ドライブレコーダー１をパーソナルコンピュータ等の情報処理装置に接続し、この情報処理装置を利用して記憶部に記憶されるデータを確認することができる。なお、記憶部で記憶される撮影部で撮影されたデータや、衝撃センサで記憶されたデータが外部の記憶装置に出力されると、記憶部に記憶される外部に出力されたデータを削除して記憶部の記憶容量を更新するようにしてもよい。または、記憶部で記憶されるデータを、外部の記憶装置に出力後、新たに記憶部や衝撃センサで取得されたデータは、既に外部に出力されたデータに上書きして記憶することで、記憶容量を確保することができる。
【００１７】
図５に示すように、支持部３は、中空の円筒形に形成される開口部３２を有する。開口部３２は、内周面に周期的に凹凸部３２１を複数有する。具体的には、開口部３２の内周面に凹凸部３２１として、複数の凹部３２１ａ及び凸部３２１ｂが繰り返し形成される。また、各凹部３２１ａはそれぞれ同一の形状である。また、各凸部３２１ｂはそれぞれ同一の形状である。
【００１８】
図６に示すように、本体部２は、撮影部及び記憶部を内蔵する内蔵部２１を有する。また、本体部２は、外周が支持部３の開口部３２の内周と略同一であり、支持部３の開口部３２に挿入可能な円筒形の挿入部２２を有する。また、挿入部２２は開口部３２が有する凹部３２１ａと対となる凸部２２２が先端に形成されるＵ字形状の切り込み部２２１が施される。ここで、Ｕ字形状の切込み部２２１の形状は、先端が図６に示すようにカーブされている必要はなく、先端部に角を有してもよい。
【００１９】
本体部２は、挿入部２２を開口部３２に挿入した状態で、挿入部２２の中心軸を回転軸として、回動することができる。具体的には、本体部２を回動させると、切り込み部２２１に形成される凸部２２２が支持部３の挿入部２２の中心軸の方向に押されて可動され、撮影部を備える本体部２が支持部３に支持された状態で撮影する方向を調整可能とする。これにより、ドライブレコーダー１は、撮影部が撮影する方向を調整可能とする。したがって、ドライブレコーダー１は、どのようなタイプの自動車のウィンドウに取り付けたとしても、必要な情報を撮影可能にその角度を変更することで、撮影方向を調整することができる。
【００２０】
上記実施の形態に示した構成並びに参考例に示した構成は適宜組み合わせることとしてもよい。
【符号の説明】
【００２１】
１ ドライブレコーダー 
２ 本体部
２０ レンズ部
２１ 内蔵部
２２ 挿入部
２２１ 切り込み部
２２２ 凸部 
３ 支持部 
３０ 接着機構
３０１ 凹部
３１ 支持機構 
３１０ 可動部 
３１１ 凸部 
３２ 開口部
３２１ 凹凸部
３２１ａ 凹部
３２１ｂ 凸部
４ 蓋部
【図１】
2018132891.tif 000003
【図２】
2018132891.tif 000004
【図３】
2018132891.tif 000005
【図４】
2018132891.tif 000006
【図５】
2018132891.tif 000007
【図６】
2018132891.tif 000008